(57)【特許請求の範囲】
【請求項１】
同期信号を生成し、同期信号および同期信号に対応する映像信号を出力する第１および第２の映像出力手段と、
切替命令に基づいて、表示装置へ供給される同期信号および映像信号を、前記第１の映像出力手段から出力される同期信号および映像信号から、前記第２の映像出力手段から出力される同期信号および映像信号へ切り替える切替制御手段と、
前記切替制御手段での切替に伴って、前記第１の映像出力手段から出力される同期信号に同期させたリセット信号を切替命令に基づいて生成するリセット信号生成手段と、
リセット信号を前記第２の映像出力手段に入力して、前記第２の映像出力手段から出力される同期信号を、前記第１の映像出力手段から出力される同期信号に同期させるタイミング変更手段と、
を具備することを特徴とする映像出力装置。
【請求項２】
前記切替制御手段は、前記タイミング変更手段がリセット信号を前記第２の映像出力手段に入力した後に、前記第１の映像出力手段の電源をオフにする、
ことを特徴とする請求項１記載の映像出力装置。
【請求項３】
映像信号を含む無線信号を受信し、無線信号をベースバンド信号に変換する受信手段と、
ベースバンド信号に復調処理を施す復調手段と、
復調後の信号に対して復号処理を施して受信映像信号を得る復号手段と、
受信映像信号および受信映像信号に対応する同期信号を出力する第１の映像出力手段と、
同期信号および同期信号に対応する映像信号を出力する第２の映像出力手段と、
切替命令に基づいて、表示装置へ供給される同期信号および映像信号を、前記第１の映像出力手段から出力される同期信号および受信映像信号から、前記第２の映像出力手段から出力される同期信号および映像信号へ切り替える切替制御手段と、
前記切替制御手段での切替に伴って、前記第１の映像出力手段から出力される同期信号に同期させたリセット信号を切替命令に基づいて生成するリセット信号生成手段と、
前記リセット信号を前記第２の映像出力手段に入力して、前記第２の映像出力手段から出力される同期信号を、前記第１の映像出力手段から出力される同期信号に同期させるタイミング変更手段と、
を具備することを特徴とする通信端末装置。
【請求項４】
前記切替制御手段は、前記タイミング変更手段がリセット信号を前記第２の映像出力手段に入力した後に、前記第１の映像出力手段の電源をオフにする、
ことを特徴とする請求項３記載の通信端末装置。
【発明の詳細な説明】
【０００１】
【発明の属する技術分野】
本発明は、動画像のディジタル伝送装置及び蓄積装置に用いられる映像出力装置に関する。
【０００２】
【従来の技術】
近年、通信端末装置等の集積度が高まり、単一の装置にカメラや蓄積した映像データの処理回路等の複数の映像出力手段（信号源）が備えられている。このような複数の信号源を有する装置は、通常ＬＣＤ（液晶）パネル等の表示装置を１つだけ備えているので、複数の信号源からの信号を適宜切り替えて表示している。つまり、上述した装置では、複数の信号源が１つの表示手段を共有する構成となっている。信号源からは、通常、映像信号と同期信号が１組の信号として出力される。
【０００３】
このような複数の信号源を有している装置では、信号源を切り替える際に、表示装置に出力される同期信号の間隔が一定で無くなる場合があるため、同期信号及び映像信号が安定するまでの間、表示映像に乱れが生じて使用者に不快な印象を与えるという問題がある。
【０００４】
この表示映像の乱れを低減する技術として、特開平７‐１３４５７７号公報（以下、「従来例１」という）に「表示装置」が開示されている。この従来例１に記載されている表示装置は、信号源の切り替え等により表示映像を切り替える場合に、予め設定された期間だけ黒色等の固定色を表示面に表示して、切り替え先の信号源の映像信号及び同期信号が安定したときに切り替え先の乱れの無い映像を表示するようにしている。
【０００５】
次に、表示映像の乱れを低減する技術であって、従来例１と異なる技術として従来例２を説明する。この従来例２は、任意の１つの信号源から出力される同期信号を他の信号源に供給することにより、全ての信号源において共通の同期信号を用いるようにしている。これにより、従来例２では切り替え時の同期信号のずれを無くすことが出来るので、表示映像の乱れを低減させることが出来る。
【０００６】
【発明が解決しようとする課題】
しかしながら、上記従来例１及び従来例２には以下に示す問題がある。すなわち、従来例１では、切り替え時に単一色の映像が表示されるので、使用者が不自然な印象を受けるという問題がある。また、従来例２では、同期信号の供給源となる信号源を、他の信号源が出力する映像信号が表示される場合であっても常に動作させる必要があるので、消費電力が増大するという問題がある。
【０００７】
本発明はかかる点に鑑みてなされたものであり、映像信号を切り替える際に、使用者に不自然な印象を与えず、且つ、消費電力を低く抑えることが出来る映像出力装置を提供することを目的とする。
【００１０】
【課題を解決するための手段】
本発明の映像出力装置は、同期信号を生成し、同期信号および同期信号に対応する映像信号を出力する第１および第２の映像出力手段と、切替命令に基づいて、表示装置へ供給される同期信号および映像信号を、前記第１の映像出力手段から出力される同期信号および映像信号から、前記第２の映像出力手段から出力される同期信号および映像信号へ切り替える切替制御手段と、前記切替制御手段での切替に伴って、前記第１の映像出力手段から出力される同期信号に同期させたリセット信号を切替命令に基づいて生成するリセット信号生成手段と、リセット信号を前記第２の映像出力手段に入力して、前記第２の映像出力手段から出力される同期信号を、前記第１の映像出力手段から出力される同期信号に同期させるタイミング変更手段と、を具備する構成を採る。
【００１１】
この構成によれば、切替元の同期信号に同期させたリセット信号を介して、切替先の同期信号の出力タイミングを切替元の同期信号の出力タイミングに同期させるので、表示映像に生じる乱れを低減することが出来る。
【００１２】
本発明の映像出力装置は、上記構成において、前記切替制御手段は、前記タイミング変更手段がリセット信号を前記第２の映像出力手段に入力した後に、前記第１の映像出力手段の電源をオフにする構成を採る。
【００１３】
この構成によれば、特定の映像出力手段（信号源）の同期信号を他の映像出力手段（信号源）においても用いる従来の装置よりも消費電力を低減することが出来る。
【００１９】
本発明の通信端末装置は、映像信号を含む無線信号を受信し、無線信号をベースバンド信号に変換する受信手段と、ベースバンド信号に復調処理を施す復調手段と、復調後の信号に対して復号処理を施して受信映像信号を得る復号手段と、受信映像信号および受信映像信号に対応する同期信号を出力する第１の映像出力手段と、同期信号および同期信号に対応する映像信号を出力する第２の映像出力手段と、切替命令に基づいて、表示装置へ供給される同期信号および映像信号を、前記第１の映像出力手段から出力される同期信号および受信映像信号から、前記第２の映像出力手段から出力される同期信号および映像信号へ切り替える切替制御手段と、前記切替制御手段での切替に伴って、前記第１の映像出力手段から出力される同期信号に同期させたリセット信号を切替命令に基づいて生成するリセット信号生成手段と、前記リセット信号を前記第２の映像出力手段に入力して、前記第２の映像出力手段から出力される同期信号を、前記第１の映像出力手段から出力される同期信号に同期させるタイミング変更手段と、を具備する構成を採る。
【００２０】
この構成によれば、表示装置を切り替えて例えばカメラのような撮像手段によって取りこんだ映像（画像）を表示する場合にも、表示画面に生ずる乱れを低減することが出来る。
【００２４】
【発明の実施の形態】
本発明の骨子は、表示装置に映像信号を供給する信号源を切り替える際に、切替先の信号源における同期信号の出力タイミングを、切替元の信号源における同期信号の出力タイミングに変更することである。具体的には、切替元の同期信号に同期させたリセット信号を生成し、このリセット信号と切り替え先の同期信号とを同期させることにより、切替先の信号源における同期信号を切替元の信号源における同期信号に同期させる。
【００２５】
以下、本発明の実施形態について添付図面を参照して説明する。
（実施形態１）
図１は、本発明の実施の形態１に係る映像出力装置の構成を示すブロック図である。映像出力部１０１は、所定の同期信号Ｘおよびこの同期信号Ｘに対応する映像信号Ｘを生成し、映像信号Ｘを映像信号選択部１０３へ出力し、同期信号Ｘを第１同期信号選択部１０４および第２同期信号選択部１０９に出力する。また、映像出力部１０２は、所定の同期信号Ｙおよびこの同期信号Ｙに対応する映像信号Ｙを生成し、映像信号Ｙを映像信号選択部１０３へ出力し、同期信号Ｙを第１同期信号選択部１０４および第２同期信号選択部１０９に出力する。これらの映像出力部１０１及び映像出力部１０２は、例えば、メモリに記憶した映像信号やカメラ等の撮像装置から取りこんだ映像信号を出力する。つまり、映像出力部１０１及び映像出力部１０２は、図示しないＬＣＤ（液晶）パネル等の表示装置に対して映像信号及び同期信号を供給する信号源である。この映像出力部１０１及び映像出力部１０２の内部構成については後述する。
【００２６】
尚、映像用の同期信号としては垂直方向の同期を取る垂直同期信号および水平方向の同期を取る水平同期信号の２種類の同期信号が用いられるが、それぞれの同期信号に対してなされる切替等の制御は互いに同じであるので、図１の説明においては垂直同期信号と水平同期信号とを同期信号とまとめて称し、この同期信号が通る経路を１本の伝送路線で示す。
【００２７】
映像出力切替制御部１０８は、入力端子１０７より表示映像を切り替える旨及び切替先の映像出力部（すなわち信号源）を指示する切替命令を取得すると、映像信号選択部１０３及び第１同期信号選択部１０４を制御して、該切替信号が指示する切替先の映像出力部から出力される映像信号及び同期信号を選択させる。映像信号選択部１０３は、映像出力切替制御部１０８の制御に従って、切替先の映像信号として映像信号Ｘ又は映像信号Ｙのいずれか１つを選択し、選択した映像信号を出力端子１０５から図示しない表示装置に出力する。このように、映像出力部１０１又は映像出力部１０２から出力された映像信号Ｘ及び映像信号Ｙのいずれかが映像信号選択部１０３により選択されて、出力映像信号として出力される。
【００２８】
第１同期信号選択部１０４は、映像出力切替制御部１０８の制御に従って、切替先の同期信号として同期信号Ｘ又は同期信号Ｙのいずれか１つを選択し、選択した同期信号を出力端子１０６から図示しない表示装置に出力する。
【００２９】
このように、映像出力部１０１及び映像出力部１０２は、本実施の形態に係る映像出力装置の後段に備えられる表示装置（図示しない）に対して映像信号及び同期信号を供給する信号源となる。
【００３０】
また、映像出力切替制御部１０８は、入力端子１０７から切替命令を取得すると、第２同期信号選択部１０９を制御して切替元の同期信号を選択させる。第２同期信号選択部１０９は、映像出力切替制御部１０８の制御に従って、切替元の同期信号として同期信号Ｘ又は同期信号Ｙのいずれか１つを選択し、選択した同期信号をリセット信号生成部１１０に出力する。
【００３１】
さらに、映像出力切替制御部１０８は、切替命令を取得すると、リセット信号生成部１１０を制御してリセット信号を生成させる。リセット信号生成部１１０は、映像出力切替制御部１０８の制御に従って切替元の映像出力から出力される同期信号に同期させたリセット信号を生成し、生成したリセット信号をタイミング変更部１１１に出力する。タイミング変更部１１１は、リセット信号を適切なタイミングで切替先の映像出力部、すなわち映像出力部１０１又は映像出力部１０２に出力することにより、この切替先の映像出力部が出力する同期信号（ここでは、同期信号Ｘ又は同期信号Ｙ）をリセット信号に同期させる。
【００３２】
一方、映像出力切替制御部１０８は電源制御部１１２を含んで構成されており、映像出力切替制御部１０８に切替命令が入力されると、電源制御部１１２は、切替先の映像出力部に対して電源をオンにする旨又はオフにする旨を指示する電源制御信号を出力する。
【００３３】
上述したように、切替先の映像出力部、すなわち映像出力部１０１又は映像出力部１０２には電源制御信号及びリセット信号が入力される。切替先の映像出力部１０１又は映像出力部１０２は、電源をオンにする旨の電源制御信号を取得すると電源をオンにし、映像出力部に含まれる同期信号発生回路を駆動するとともに、映像信号メモリ内に格納された信号から映像信号を再構成する回路や、映像信号を出力する出力回路等を備えた映像信号供給回路を通電させて映像信号を出力可能な状態にする。
【００３４】
次に、図２を参照して、本実施の形態に係る映像出力装置の構成についてさらに詳しく説明する。図２は本実施の形態に係る映像出力装置の構成の一部を示すブロック図である。図２において、図１と同じ部分には図１と同じ符号を付してその詳しい説明は省略する。図２においては、図１に記載した各部のうち、映像信号選択部１０３、第１同期信号選択部１０４、出力端子１０５、出力端子１０６、入力端子１０７、映像出力切替制御部１０８、第２同期信号選択部１０９、リセット信号生成部１１０、及び電源制御部１１２についての記載を省略している。
【００３５】
この図２に示すように、映像出力部１０１は、同期信号発生回路２０１及び映像信号供給回路２０２を含んで構成され、映像出力部１０２は、同期信号発生回路２０３及び映像信号供給回路２０４を含んで構成される。
【００３６】
同期信号発生回路２０１は、基準クロックを所定数だけ計数すると同期信号Ｘを映像信号供給回路２０２並びに図１に示した第１同期信号選択部１０４及び第２同期信号選択部１０９に出力する。映像信号供給回路２０２は、同期信号発生回路２０１から同期信号Ｘを受け取ると、カメラ等の撮像装置（図示しない）にて取りこまれた映像信号や、メモリ（図示しない）に予め記憶してある映像信号や、外部装置から伝送された映像信号等を映像信号Ｘとして映像信号選択部１０３へ出力する。また、同期信号発生回路２０３は、基準クロックを所定数だけ計数すると同期信号Ｙを映像信号供給回路２０４並びに図１に示した第１同期信号選択部１０４及び第２同期信号選択部１０９に出力する。映像信号供給回路２０４は、同期信号発生回路２０３から同期信号Ｙを受け取ると、カメラ等の撮像装置（図示しない）にて取りこまれた映像信号や、メモリ（図示しない）に予め記憶してある映像信号や、外部装置から伝送された映像信号等を映像信号Ｙとして映像信号選択部１０３へ出力する。尚、データ量が大きい映像信号は、通常、ＪＰＥＧやＭＰＥＧ等の符号化方式を用いて圧縮されてメモリに格納される。
【００３７】
また、同期信号発生回路２０１及び同期信号発生回路２０３は、タイミング変更部１１１からリセット信号を受け取ると直ちに同期信号Ｘ又は同期信号Ｙを出力する。つまり、タイミング変更部１１１からリセット信号が入力されることにより、切替先の映像出力部に備えられた同期信号発生回路（すなわち、同期信号発生回路２０１又は同期信号発生回路２０３）から出力される同期信号の出力タイミングが変更される。
【００３８】
次に、図３を参照して、同期信号発生回路２０１及び同期信号発生回路２０３の内部構成について説明する。図３は、同期信号発生回路２０１の内部構成を示すブロック図である。尚、同期信号発生回路２０３は同期信号発生回路２０１と略同一の構成を採るので、同期信号発生回路２０１について詳しく説明し、同期信号発生回路２０３についての詳しい説明は省略する。同期信号発生回路２０１は、水平同期信号を出力するカウンタ３０３と垂直同期信号を出力するカウンタ３０４とを備えている。
【００３９】
上記同期信号発生回路２０１においては、基準クロックが入力端子３０１からカウンタ３０３及びカウンタ３０４に入力される。カウンタ３０３は、基準クロックをカウントして、基準クロックが所定数に達すると水平同期信号を出力する。水平同期信号は、カウンタ３０４に出力されるとともに出力端子３０５から回路外部に出力される。カウンタ３０４は、基準クロックをカウントして、基準クロックが所定数に達すると水平同期信号に同期させて垂直同期信号を出力する。垂直同期信号は出力端子３０６から回路外部に出力される。
【００４０】
また、入力端子３０２からは、タイミング変更部１１１より出力されたリセット信号が、カウンタ３０３及びカウンタ３０４に入力される。カウンタ３０３及びカウンタ３０４にリセット信号が入力されると、それまで計数していた基準クロック数が“０”にリセットされ、リセットされた時点から再び基準クロックの計数が開始される。また、カウンタ３０３はタイミング変更部１１１からのリセット信号をトリガーとして水平同期信号を出力し、カウンタ３０４はタイミング変更部１１１からのリセット信号をトリガーとして垂直同期信号を出力する。すなわち、カウンタ３０３及びカウンタ３０４は、リセット信号が入力された時点から水平、及び垂直のそれぞれの所定クロック数毎に水平同期信号又は垂直同期信号を出力する。この所定クロック数は装置の構成等に応じて適宜変更される。尚、本実施の形態においては、この所定クロック数を水平方向についてはＭクロック、垂直方向についてはＮクロックとすると、カウンタ３０３は、計数している基準クロック数がＭクロックになる度に水平同期信号を出力し、カウンタ３０４は、計数している基準クロック数がＮクロックになる度に垂直同期信号を出力する。
【００４１】
次に、上記構成の映像出力装置における映像出力部（すなわち出力映像信号の信号源）の切り替え動作について図４を参照して説明する。図４は、映像信号の供給源の切り替え動作を説明するフロー図である。尚、本実施の形態においては、出力映像信号の信号源が映像出力部１０１から映像出力部１０２に切り替えられる場合を例に説明する。
【００４２】
まず、ステップ（以下「ＳＴ」という）４０１において、表示装置に表示する映像の信号源を映像出力部１０１から映像出力部１０２に切り替える旨を指示する切替命令が入力端子１０７から映像出力切替制御部１０８に入力される。次いでＳＴ４０２では、電源制御信号が電源制御部１１２から切替先の映像出力部（信号源）である映像出力部１０２に入力され、映像出力部１０２の電源がオンになる。
【００４３】
次いで、ＳＴ４０３では、映像出力切り替え制御部１０８から第２同期信号選択部１０９に対して、切替元の映像出力信号１０１からの同期信号Ｘを選択する旨の指示がなされる。第２同期信号選択部１０９は、同期信号Ｘを選択してリセット信号生成部１１０に出力する。
【００４４】
次いで、ＳＴ４０４では、映像出力切替制御部１０８からリセット信号生成部１１０に対して、リセット信号をタイミング変更部１１１に出力する旨の指示がなされる。リセット信号生成部１１０は、第２同期信号選択部１０９より出力された切替元の映像出力部１０１にて生成された同期信号Ｘと同期するリセット信号を生成してタイミング変更部１１１に出力する。このリセット信号の生成動作については後述する。
【００４５】
ＳＴ４０５では、リセット信号を取得したタイミング変更部１１１から切替先の映像出力部１０２に対して適切なタイミングで、すなわちリセット信号生成部１１０においてリセット信号が生成されたタイミング（以下、「リセット信号生成タイミング」という）又はリセット信号生成タイミングからＮクロック毎に到来するタイミング（以下、「変更タイミング」という）で、リセット信号が出力される。このように、切替元の映像出力部１０１における同期信号Ｘの出力タイミングと一致する“リセット信号生成タイミング”、又は、同じく切替元の映像出力部１０１における同期信号Ｘの出力タイミングと一致する“変更タイミング”において、タイミング変更部１１１からリセット信号が出力される。つまり、タイミング変更部１１１から出力されるリセット信号は、切替元の映像出力部１０１が出力する同期信号Ｘと同期している。
【００４６】
次いで、ＳＴ４０６では、タイミング変更部１１１から出力されたリセット信号に基づいて映像出力部１０２に備えられたカウンタ３０３及びカウンタ３０４がリセットされる。すなわち、リセット信号が入力されると、同期信号発生回路２０３に備えられたカウンタ３０３及びカウンタ３０４のカウント数が“０”にリセットされる。これにより、カウンタ３０３及びカウンタ３０４は、リセット信号が入力された時点から基準クロックの計数を再び開始するので、タイミング変更部１１１からリセット信号が入力された時点からＮクロック毎に水平同期信号又は垂直同期信号を出力する。つまり、切替先の映像出力部１０２から出力される同期信号Ｙはリセット信号と同期しており、且つ、切替元の映像出力部１０１における同期信号Ｘと同期している。
【００４７】
次いで、ＳＴ４０７において、映像出力部１０２が出力する映像信号Ｙが安定するまで所定時間待機した後ＳＴ４０８に進む。ＳＴ４０８では、映像出力切替制御部１０８から映像信号選択部１０３及び第１同期信号選択部１０４に対して映像出力部１０２からの出力信号を選択する旨の指示がなされる。これにより、映像信号選択部１０３は、出力映像信号として映像出力部１０２が信号源である映像信号Ｙを出力する。また、第１同期信号選択部１０４は、出力同期信号として映像出力部１０２を信号源とする同期信号Ｙを出力する。
【００４８】
次いで、ＳＴ４０９では、電源制御信号が映像出力切替制御回路１０８から映像出力部１０１に入力され、映像出力部１０１の電源がオフになる。
【００４９】
次に、図５（Ａ）〜図５（Ｇ）を参照して、映像出力部（すなわち信号源）を切り替える際の動作について説明する。
【００５０】
図５（Ａ）に示す信号は、カウンタ３０３及びカウンタ３０４に入力される基準クロックである。基準クロックは、正確な一定の時間間隔を持つ周期信号であり、同期を取る際の基準として用いられる。
【００５１】
図５（Ｂ）に示す信号は、映像出力部１０１に備えられた同期信号発生回路２０１にて生成される垂直同期信号（以下「ＶＳＹＮＣ」と称することがある）を含むパルス信号である。映像出力部１０１に備えられた同期信号発生回路２０１においては、クロック３０３及びクロック３０４が基準クロックをカウントしており、このカウント数がＮクロックになるとパルス信号がＯＮになり、立ち上がり部分及び立ち下り部分から成る矩形上の垂直同期信号５０１〜５０５が出力される。つまり、クロック３０３及びクロック３０４からは、基準クロックのＮクロックごとにＶＳＹＮＣが出力される。尚、同期信号発生回路２０１からは垂直同期信号と水平同期信号がともに出力されるが、垂直同期信号の生成動作は水平同期信号の生成動作と略同じなので、図５（Ａ）〜図５（Ｇ）では、説明の簡単のために垂直同期信号（ＶＳＹＮＣ）のみを示し、水平同期信号についての詳しい説明は省略する。
【００５２】
図５（Ｃ）に示す信号は、映像出力切替制御部１０８が出力するリセット信号を生成するように指示する信号（以下「リセット生成指示信号」という）である。このリセット生成指示信号５０６は、入力端子１０７から切替命令を取得した映像出力切替制御部１０８によって、リセット信号生成部１１０に出力される。
【００５３】
図５（Ｄ）に示す信号は、図５（Ｂ）に示すＶＳＹＮＣを、リセット信号生成部１１０において反転した信号である。以下このＶＳＹＮＣを反転した信号をＶＳＹＮＣ′という。すなわち、ＶＳＹＮＣ′５１６、ＶＳＹＮＣ′５１７、ＶＳＹＮＣ′５１８、ＶＳＹＮＣ′５１９、及びＶＳＹＮＣ′５２０は、それぞれ対応するＶＳＹＮＣ５０１、ＶＳＹＮＣ５０２、ＶＳＹＮＣ５０３、ＶＳＹＮＣ５０４、及びＶＳＹＮＣ５０５を反転した信号である。
【００５４】
図５（Ｅ）に示す信号は、リセット信号生成部１１０からタイミング変更部１１１に出力されるリセット信号５０７である。リセット信号生成部１１０は、映像出力切替制御部１０８から出力されるリセット生成指示信号を受け取った後に生成されるＶＳＹＮＣ′のいずれかをリセット信号として取り出し、タイミング変更部１１１に出力する。図５（Ｄ）及び図５（Ｅ）では、リセット生成指示信号を受け取った後の最も早いタイミングで生成されるＶＳＹＮＣ′をリセット信号として取り出し、タイミング変更部１１１に出力する場合を例に説明している。タイミング変更部１１１は、リセット信号を受け取ると、このリセット信号を適切なタイミングで、すなわちリセット信号生成タイミング、又はリセット信号生成タイミングからＮクロック毎に到来する変更タイミングで、切替先の映像出力部１０２に出力する。図５（Ｅ）には、リセット信号生成タイミングからＮクロック後に到来する変更タイミング５１３、及びリセット信号生成タイミングから２Ｎクロック後（すなわち、変更タイミング５１３からＮクロック後）に到来する変更タイミング５１４を、上記“変更タイミング”の例として示した。
【００５５】
尚、図５（Ｄ）及び図５（Ｅ）においては、ＶＳＹＮＣを反転させたＶＳＹＮＣ′からリセット信号を取り出したが、ＶＳＹＮＣが、図のようなパルス信号ではなく、一定期間のロー信号及び一定期間のハイ信号からなる、レベル信号であった場合、レベルの立ち上がり部、もしくは立ち下がり部に一致するタイミングでリセット信号を生成しても良い。
【００５６】
図５（Ｆ）に示す信号は、切替先の映像出力部１０２から出力される垂直同期信号を含むパルス信号について示す図である。図５（Ｆ）には、変更タイミング５１３においてタイミング変更部１１１から切替先の映像出力部１０２にリセット信号が入力され、映像出力部１０２はリセット信号が入力されると直ちに同期信号を出力する場合について示している。
【００５７】
リセット信号の入力前には、切替先の映像出力部１０２において、カウンタ３０４が基準クロックをカウントしている。このカウント数がＮクロックになるとパルス信号がＯＮになり、図５（Ｆ）に示すように、立ち上がり部分及び立ち下り部分から成る矩形上の垂直同期信号５０８〜垂直同期信号５１０が出力される。また、カウンタ３０４は、変更タイミング５１３においてタイミング変更部１１１からリセット信号５０７が出力されると、垂直同期信号５１１を出力するとともに、リセット信号５０７が入力されるまでに計数した基準クロック数をリセットして、再び基準クロックの計数を開始する。これにより、カウンタ３０４は、変更タイミング５１３からＮクロック毎に垂直同期信号を出力する。
【００５８】
このように、映像出力部１０２は、変更タイミング５１３においてリセット信号５０７を受け取るまでは、自己のタイミングで生成した垂直同期信号５０８〜５１０を出力し、リセット信号５０７を受け取った後は、リセット信号５０７に同期したタイミング、すなわち切替元の映像出力部１０１から出力される同期信号に同期したタイミングで垂直同期信号５１１及び垂直同期信号５１２を出力する。
【００５９】
したがって、図５（Ｇ）に示すように、出力端子１０６からは、変更タイミング５１３より前では切替元の映像出力部１０１からの垂直同期信号が出力され、変更タイミング５１３以降（すなわち、変更タイミング５１３と同時又は変更タイミング５１３経過後）では切替先の映像出力部１０２からの垂直同期信号が出力される。この出力端子１０６から出力される垂直同期信号は、図５（Ｇ）から明らかなように、変更タイミング５１３の前後を問わず常に一定の間隔で出力される。
【００６０】
このように、本実施の形態によれば、入力端子１０７から入力される切替命令に従って、複数の映像信号出力部（すなわち映像出力部１０１及び映像出力部１０２）から切替先の映像出力部１０２を選択して表示装置に供給する映像を切り替える際に、タイミング変更部１１１によって、切替先の映像出力部１０２から出力される同期信号Ｙの出力タイミングが変更されている。タイミング変更部１１１は、切替先の映像出力部１０２が出力する同期信号Ｙを、切替元の映像出力部１０１が出力する同期信号Ｘに同期させるようにタイミングの変更を行うので、図５（Ｇ）に示すように、表示装置に出力される同期信号は、切替の前後に亘って一定の間隔になる。したがって、表示装置は常に一定の間隔の同期信号を受け取ることになるので、表示する映像が乱れないという効果を奏することが出来る。これにより、本実施の形態に係る映像出力装置の使用者は、表示映像の乱れによる不快感を感ずることなく、快適に映像の切り替え操作を行うことが出来る。
【００６１】
また、本実施の形態においては、リセット信号生成部１１０において切替元の映像出力部１０１と同期させたリセット信号を生成し、タイミング変更部１１１がこのリセット信号に基づいて切替先の映像出力部１０２における同期信号の出力タイミングを変更するので、切替元の映像出力部１０１を切替後にも継続して動作させる必要が無い。
【００６２】
つまり、リセット信号生成部１１０において生成されたリセット信号の生成タイミング（すなわちリセット信号生成タイミング）が、切替元の映像出力部１０１から出力される同期信号の出力タイミングに一致するので、タイミング変更部１１１はリセット信号を取得することにより、切替元の映像出力部１０１から出力される同期信号Ｘを取得しなくとも、切替元の映像出力部１０１から出力される同期信号Ｘの出力タイミングを知得することが出来る。タイミング変更部１１１は、切替先の映像出力部１０２における同期信号の出力タイミングを、リセット信号に基づいて知得した切替元の映像出力部１０１における同期信号の出力タイミングに同期させる。これにより、切替先の映像出力部１０２における同期信号の出力タイミングは、切替元の映像出力部１０１における同期信号の出力タイミングと“直接に”同期させるのではなく、“リセット信号を介して”同期させる。
【００６３】
このように、リセット信号生成部１１０及びタイミング変更部１１１の制御に応じて切替先の映像出力部１０２における同期信号の出力タイミングを変更することにより、切替先の映像出力部１０２における同期信号の出力タイミングは、切替元の映像出力部１０１に対して従属せずに、すなわち切替元の映像出力部１０１とは直接的には無関係に決定される。
【００６４】
上述したように、リセット信号生成後は切替元の映像出力部１０１を動作させつづける必要が無い。それゆえ、本実施の形態においては、映像信号選択部１０３及び第１同期信号選択部１０４において選択する映像信号及び同期信号が切り替えられた後に、電源制御部１１２が切替元の映像出力部１０１の電源をオフにする制御を行っている。これにより、本実施の形態に係る映像出力装置は、従来の映像出力装置よりも消費電力を低減することが出来る。
【００６５】
尚、本実施の形態において説明した切替動作とは逆に映像出力部１０２から映像出力部１０１に切り替える場合には、この場合において切替先になる映像出力部１０１は、タイミング変更部１１１から出力されるリセット信号に基づいて、この場合において切替元になる映像出力部１０２における同期信号の出力タイミングに同期した同期信号を出力する。この点からも、映像出力部１０２は、同期信号の出力タイミングに関して、映像出力部１０１に従属していないことが分かる。
【００６６】
尚、本実施の形態においては、映像出力部１０１及び映像出力部１０２の２つの映像出力部（すなわち信号源）から同期信号及びこの同期信号に対応する映像信号が出力される場合を例に説明したが、本発明はこれに限定されず、表示装置に同期信号及びこの同期信号に対応する映像信号を出力する映像出力部（すなわち信号源）は、表示装置に表示される映像信号の種類に応じて複数備えられていれば良い。
【００６７】
また、本実施の形態において、切替先の映像出力部に備えられた同期信号発生回路（すなわち同期信号発生回路２０１又は同期信号発生回路２０３）は、タイミング変更部１１１からリセット信号を受け取ると直ちに同期信号を出力するようにしたが、切替先の映像出力部に備えられた同期信号発生回路は、リセット信号を受け取った直後には同期信号を出力せず、リセット信号を受け取ってからＮクロック後に同期信号を発生するようにしても良い。
【００６８】
（実施の形態２）
本発明に係る映像出力装置は、通信端末装置に搭載された場合に特に顕著な効果を発揮する。通信端末装置は、使用者に携帯されて使用されることが多く、電池等の容量に限りのある電源に接続された状態で使用されることから消費電力の低減が要求されるためである。
【００６９】
以下、本実施の形態においては、本発明の実施の形態１に係る映像出力装置を通信端末装置に搭載した場合について図６を参照して説明する。図６は、本発明の実施の形態２に係る通信端末装置の構成を示すブロック図である。尚、図６において、実施の形態１に係る図１と同じ部分には図１と同じ符号を付し、その詳しい説明は省略する。
【００７０】
受信装置６０２は、アンテナ６０１から受信した信号に対して周波数変換等の所定の無線受信処理を施してベースバンド信号を生成する。復調装置６０３は、受信装置６０２にて生成したベースバンド信号にＱＰＳＫや１６ＱＡＭ等の所定の復調処理を施す。復号装置６０４は、復調信号に対して所定の復号処理を行って受信映像信号を得る。復号装置６０４にて得られた受信映像信号は、映像出力部１０１に出力される。
【００７１】
映像出力装置６０７は、実施の形態１において図１に示した映像出力装置と同じ構成を採る。尚、説明の簡単のために、出力端子１０５、出力端子１０６、入力端子１０７、映像出力切替制御部１０８、第２同期信号選択部１０９、及びリセット信号生成部１１０については記載を省略している。
【００７２】
この映像出力装置６０７において、タイミング変更部１１１は、切替後の同期信号を切替前の同期信号に同期させるために、リセット信号を適切なタイミングで映像出力部１０１、映像出力部１０２、及び映像出力部６１０に出力する。映像出力部１０１は、復号装置６０４から受け取った受信映像信号を映像信号選択部１０３に出力し、同期信号Ｘを第１同期信号選択部１０４に出力する。すなわち、映像出力部１０１は、本実施の形態において、受信映像信号の信号源となる。
【００７３】
映像出力部１０２には、本実施の形態に係る通信端末装置の製造段階において、予め所定の映像信号が格納される。本明細書において、この映像出力部１０２に格納される映像信号を「格納映像信号」という。映像出力部１０２は、この格納映像信号を映像信号選択部１０３に出力し、同期信号Ｙを第１同期信号選択部１０４に出力する。
【００７４】
撮像装置６０５は、カメラ等の撮像部６０９と映像出力部６１０とを含んで構成される。撮像部６０９は、人物や風景等の対象物を撮像して映像信号として取り込む。本明細書において、撮像部６０９より取り込んだ映像信号を「撮像信号」という。この撮像信号は、撮像部６０９にから映像出力部６１０に出力される。映像出力部６１２は、映像出力部１０１及び映像出力部１０２と同様の構成を有しており、撮像部６０９にて取り込んだ撮像信号を映像信号選択部１０３に出力する。また、映像出力部６１２は、内部に備えた同期信号発生回路（図示しない）において同期信号Ｚを生成し、生成した同期信号Ｚを第１同期信号選択部１０４に出力する。
【００７５】
映像信号選択部１０３は、切替先の映像信号として受信映像信号、格納映像信号、又は撮像信号のうちいずれか１つを選択し、選択した信号を表示装置６０８に出力する。また、第１同期信号選択部１０４は、切替先の同期信号として同期信号Ｘ、同期信号Ｙ、又は同期信号Ｚのいずれかを選択し、選択した同期信号を表示装置６０８に出力する。
【００７６】
表示装置６０８は、映像信号選択部１０３から出力された映像信号を、第１同期信号選択部１０４から出力された同期信号に同期させて、液晶パネルに映像（画像）を表示する。
【００７７】
次に、上記構成の通信端末装置において表示装置６０８に供給する映像信号を切り替える動作について説明する。尚、ここでは、表示装置６０８に供給する映像信号が受信映像信号から撮像信号に切り替えられる場合、すなわち表示装置６０８に供給する映像信号の信号源が映像出力部１０１から映像出力部６１０に切り替えられる場合、を例に説明する。
【００７８】
切替動作の開始前には、表示装置６０８に受信映像信号に基づいて形成された映像が表示されている。この受信映像信号は、アンテナ６０１から受信された受信信号が、受信装置６０２でベースバンド信号に変換され、復調装置６０３で復調処理され、復号装置６０４で復号されて、映像出力部１０１に入力されたものである。
【００７９】
まず、表示装置６０８に表示する映像の信号源を映像出力部１０１から映像出力部６１０に切り替える旨を指示する切替命令が入力されると、切替先の映像出力部（信号源）である映像出力部６１０の電源がオンになる。具体的には、映像出力部６１０に含まれる同期信号発生回路（図示しない）を駆動するとともに、撮像部６０９において取り込んだ撮像信号を符号化する符号化回路（図示しない）や、符号化データを復号する復号回路や、復号した撮像信号を撮像装置６０５外部に出力する出力回路等を備えた映像信号供給回路（図示しない）を通電させて、撮像信号を出力可能な状態にする。
【００８０】
次いで、切替命令に基づいて生成されたリセット信号を取得したタイミング変更部１１１から切替先の映像出力部６１０に対して、適切なタイミングでリセット信号が出力される。これにより、切替先の映像出力部６１０から出力される同期信号Ｚの出力タイミングが変更され、同期信号Ｚと切替元の映像出力部１０１から出力される同期信号Ｘとの同期が取られる。
【００８１】
撮像装置６０５においては、撮像部６０９から取りこまれた撮像信号が映像信号選択部１０３に出力され、映像出力部６１０にて生成された同期信号Ｚが第１同期信号選択部１０４に出力される。次いで、撮像信号及び同期信号Ｚが安定するまで所定時間待機した後、映像信号選択部１０３により表示装置６０８に撮像信号が供給され、第１同期信号選択部１０４により表示装置６０８に同期信号Ｚが供給される。表示装置６０８は、供給された撮像信号を同期信号Ｚと同期を取り、供給された撮像信号に対応する映像を液晶パネルに表示する。
【００８２】
最後に、映像出力部１０１に電源制御信号が入力され、映像出力部１０１の電源がオフになる。
【００８３】
このように、本実施の形態によれば、実施の形態１に係る映像出力装置６０７を通信端末装置に搭載したので、表示装置６０８にて表示される映像に乱れを生じさせることなく、通信端末装置の消費電力を低減させることが出来る。特に、映像信号をアンテナ６０１を介してダウンロードしている間に、カメラ等の撮像部６０９にて撮像した映像を表示する場合にも、表示映像の乱れを生じない。
【００８４】
尚、本実施の形態においては、表示装置６０８が液晶パネルに表示映像を形成するようにしたが、本発明はこれに限られず、ブラウン管、ＥＬ(エレクトロルミネッセンス)パネル、ＬＥＤマトリクス表示装置等に表示映像を形成するようにしても良い。また、本実施の形態においては、表示装置６０８に映像信号を供給する信号源を映像出力部１０１から映像出力部６１０に切り替える場合について説明したが、本発明はこれに限られず、任意の映像出力部から他の映像出力部へ信号源を切り替えることが出来る。
【００８５】
【発明の効果】
以上説明したように、本発明によれば、表示装置に映像信号を供給する信号源を切り替える際に、切替先の信号源における同期信号の出力タイミングを、切替元の信号源における同期信号の出力タイミングに変更することにより、表示装置における表示映像に乱れを生じさせることなく、通信端末装置の消費電力を低減させることが出来る。
【図面の簡単な説明】
【図１】本発明の実施の形態１に係る映像出力装置の構成を示すブロック図
【図２】本発明の実施の形態１に係る映像出力装置の構成の一部を示す図
【図３】同期信号発生回路の構成を示すブロック図
【図４】映像信号を供給する信号源の切り替え動作を説明するフロー図
【図５】（Ａ）基準クロックを示す図
（Ｂ）切替元の映像出力部にて生成されるＶＳＹＮＣを示す図
（Ｃ）リセット生成指示信号を示す図
（Ｄ）ＶＳＹＮＣを反転した信号を示す図
（Ｅ）リセット信号を示す図
（Ｆ）切替元の映像出力部にて生成されるＶＳＹＮＣを示す図
（Ｇ）表示装置に出力される同期信号について示す図
【図６】本発明の実施の形態２に係る通信端末装置の構成を示すブロック図
【符号の説明】
１０１、１０２  映像出力部
１０３  映像信号選択部
１０４  第１同期信号選択部
１０８  映像出力切替制御部
１０９  第２同期信号選択部
１１０  リセット信号生成部
３０３、３０４  カウンタ
【図１】
0003768408.tif 000002
【図２】
0003768408.tif 000003
【図３】
0003768408.tif 000004
【図４】
0003768408.tif 000005
【図５】
0003768408.tif 000006
【図６】
0003768408.tif 000007